(57)【特許請求の範囲】
【請求項１】
折鶴の展開図を基に板金を首の部分と尾の部分とを左右の翼をもつ胴の部分から分離して３部分に分け、不要となる首の部分と尾の部分の削除部分を削除し、内折線と外折線の線引き加工線を明確に表した原型の作成をし：
上記により３分割した首の部分と尾の部分にそれぞれの両端の切口を被う折りしろと再度の組み合せ時に用いる返し爪をもつ掛け爪をそれぞれの付け根に設け、それぞれ別途加工を施しそれぞれに成形し：
胴の部分の下部となる中央の両翼側に補助穴を設け、そしてこの胴の部分の下部となる中央にそれぞれ抱え爪を設け、さらにこの胴の首の部分側と尾の部分側に上下二枚の小羽根をもつ止具と止穴を切り込みで設け、胴の部分と翼の部分を一体化して成形加工をし、特に両翼に切口を被う折りしろを設けて内折線と外折線に沿って線引き加工を施して成形し：
上記の首の部分と尾の部分をそれぞれの付け根の返し爪と掛け爪で胴の部分の抱え爪に掛けてかみ合わせて胴に接続し、よって胴に固定し一体化して成形加工するのを特徴とする板金を素材にした屋内外装飾用折鶴の手づくり製造方法。
【発明の詳細な説明】
【０００１】
【発明の属する技術分野】
本願発明による折鶴の素材は銅、鉄板のほか、金、銀等の板材での制作も可能なところから、門戸、屋根の棟飾り等の屋外から、室内の装飾に至る多種多様に応用できる折鶴の手作り板金加工法である。
【０００２】
【従来の技術】
従来折鶴は、千代紙などで創る紙細工とされていた。その折鶴の形態を銅版または鉄板で表現すべく数多く制作を試みたものの、その大半がこれまでの折り紙式工程を意識し過ぎていたためか、いずれも折鶴としての確たる表現が成されておらず、制作難ともされていた。
【０００３】
【発明が解決しようとする課題】
これまでの実施例で不可能とされてきた折鶴の制作工程を改良し、折鶴の形態を損なうことなく、手作りまたは一般板金加工法での制作を可能にすること。
【０００４】
折鶴制作の工程で、銅、鉄板等の素材の重ね折り、折り返し、たたみ込み等の加工における成形難の解消。
【０００５】
折鶴の嘴、尾、両翼等、先端部加工における成形難の解消
【０００６】
接着剤、半田付け、鋲、ネジ類を使用しない接続固定法。
【０００７】
本発明は上記のごとく、素材に銅、鉄板等金属に求めた折鶴の制作のため、そこに生じるさまざまな障害を解消し、折鶴のもつ美しい形態をそのままに、加工工程を容易にした製造方法の提供を目的としている。
【０００８】
【課題を解決するための手段】
原型（図１）の制作。上記目的を達成するために、本発明の折鶴製作においては、折鶴の展開図を基に、その折り鶴の首の部分と尾の部分および両翼をもつ銅の部分の３部分に３分割した原型を制作する。
【０００９】
板金で折るには不要となる部分である首の部分と尾の部分の削除部分（ア・イ・ウ・エ）を削除して、成形難とされている素材の重ね折り、折り返し、たたみ込み、折鶴の嘴、尾、両翼先端部等の障害を取り除き、成形状の工程を容易にする。
【００１０】
要するに、まず、折鶴の展開図を基に板金を首の部分と尾の部分と左右の翼をもつ胴の部分の３部分に３分割に分けることからはじまる。そして、不要となる首の部分と尾の部分の削除部分を削除し、内折線と外折線の線引き加工線を明確に表した原型の作成をする。
【００１１】
上記により３分割した首の部分と尾の部分にそれぞれの両端の切口を被う折りしろと再度の組み合せ時に用いる返し爪をもつ掛け爪をそれぞれの付け根に設け、それぞれ別途加工を施しそれぞれに成形する。
【００１２】
胴の部分の下部となる中央の両翼側に補助穴を設ける。そして、この胴の部分の下部となる中央にそれぞれ抱え爪を設ける。さらに、この胴の首の部分側と尾の部分側に上下二枚の小羽根をもつ止具と止穴を切り込みで設け、胴の部分と翼の部分を一体化して成形加工をする。また、両翼（３・４）には、切口を被う折りしろを設ける。そして、全て内折線と外折線に沿って線引き加工を施して成形する。
【００１３】
上記の首の部分と尾の部分をそれぞれの付け根の返し爪と掛け爪で胴の部分の抱え爪に掛けてかみ合わせて胴に接続し、よって胴に固定し一体化して成形加工する。
【００１４】
【発明の実施の形態】
上記のように構成された折鶴各部分は、折鶴の首（１）には、折りたたんで切口を被う折しろ（オ）と、返し爪（カ）をもつ掛け爪（キ）を設け、内折線（Ａ）外折線（Ｂ）に沿って線引き加工を施し、掛け爪（キ）を胴の下部に掛けて接続し、返し爪（カ）と胴の抱え爪（ク）のよって首と胴部を固定する。
【００１５】
折鶴の尾（２）の工程は首と同じ、切口を被う折りしろと、返し爪をもつ掛け爪を設け、それぞれ線引き加工を施して、掛け爪は胴の下部と接続し、返し爪は胴の抱え爪（ク）によって尾と胴を固定する。
【００１６】
両翼（３・４）には、切口を被う折りしろを設け、内折線、外折線に沿って線引き加工を施して成形する。
【００１７】
胴（５）には、二枚の小羽根（ケ）をもつ止具（コ）と止穴（サ）。補助穴（６・７）抱え爪（ク）を設け、それぞれ線引き加工を施して成形する。
【００１８】
止具（コ）は胴の下部中央、尾の付け根裏側の位置に、対する止穴（サ）は首側に、それぞれ素材に切り込みで設ける、成型時、止具を起こして小羽根をたたみ止穴に通したあと、再び小羽根を開いて胴の中心部を固定する。
【００１９】
補助穴（６・７）は、胴の下部中央に、両翼（３・４）との接続点に設ける。成型時、素材が胴の中心部は内に、翼の中心部は外に張り出す状態となり、成形上他に及ぼす影響も大きくそれを防ぐための補助穴である。
【００２０】
抱え爪（ク）は胴の下部中央に設け、先に接続した首や尾の付け根の返し爪（カ）とかみ合わせ、胴に首と尾とを固定する
【００２１】
【実施例】
本願発明の実施例について図面を参照にして説明する。これは、図１のごとき１枚の板金の折鶴の首の部分と尾の部分となる箇所で余分な部分となる削除部分（ア）（イ）（ウ）（エ）を削除して、首（１）の部分と尾（２）の部分とを太い線Ｃで分離して、両翼（３・４）をもつ胴（５）の部分の３つの部分に分割して、別途加工を施したのち、再度組み合せて成形する折鶴の製作法である。
【００２２】
首（１）と胴（５）との接続加工工程は、尾の付け根の掛け爪（キ）を胴（５）の下部に掛け、返し爪（カ）と胴の抱え爪（ク）によって固定する。
【００２３】
尾（２）と胴（５）との接続加工工程は首と同じである。
【００２０】
左右の翼（３・４）は、胴（５）と一体の成形加工で、胴側の補助穴（６・７）によって相互の成形加工工程が容易となる。
【００２４】
胴（５）は、両翼と同様、補助穴によって一体加工とし、中央下部は、切り込みで設けた止具（コ）と止穴（サ）によって固定（図５を参照）。首（１）と尾（２）は掛け爪（キ）を掛けて胴に接続し、返し爪（カ）と抱え爪（ク）によって胴に固定し成形する、手づくり板金加工法による折鶴である。
【００２５】
【図面の簡単な説明】
【図１】  折鶴を３分割した原型配置図と削除の部分を描いた展開図である。
【図２】  首の部分の曲折線および折りしろ、掛け爪等付属部品を示す展開図である。
【図３】  尾の部分の曲折線および折りしろ、掛け爪等付属部品を示す展開図である。
【図４】  両翼と胴の部分の、補助穴、止具の配置、曲折線および付属部品を示す展開図である。
【図５】  止具と止穴の仕様過程を示す組み立て過程図である。
【図６】  掛け爪、返し爪の仕様工程を示す一部展開背面図である。
【図７】  掛け爪、返し爪部分の成形背面図
【図８】  抱え爪の仕様を示す一部展開図である。
【符号の説明】
（Ａ）  内折線（点線）
（Ｂ）  外折線（実線）
（Ｃ）  各部配置図（太線）
（１）  首
（２）  尾
（３）  右翼
（４）  左翼
（５）  胴
（６）  右補助穴
（７）  左補助穴
（ア）  削除部分
（イ）  削除部分
（ウ）  削除部分
（エ）  削除部分
（オ）  折りしろ
（カ）  返し爪
（キ）  掛け爪
（ク）  抱え爪
（ケ）  小羽根
（コ）  止具
（サ）  止穴
【図１】
0003962222.tif 000002
【図２】
0003962222.tif 000003
【図３】
0003962222.tif 000004
【図４】
0003962222.tif 000005
【図５】
0003962222.tif 000006
【図６】
0003962222.tif 000007
【図７】
0003962222.tif 000008
【図８】
0003962222.tif 000009